(57)【要約】【課題】本発明は、一体化を可能にして軽量化、コンパクト化を図ると共に装飾ライトの施工を容易にし、さらに密閉することができるため防水効果も図れて屋外でも使用できる装飾ライトの一体型低電圧パワーサプライを提供する。【解決手段】装飾ライトの一体型低電圧パワーサプライ１０のノイズフィルター２８は第１整流器３０と接続されている。第１整流器３０はスイッチング装置３２と接続されている。このスイッチング装置３２は制御器３４と発振器３６とから構成されている。スイッチング装置３２はトランス装置４０と接続され、トランス装置４０は第２整流器４２と接続されている。第２整流器４２はレギュレーター４４と接続され、レギュレーター４４にはコード４６が接続されて２４ボルトの直流電圧が出力されるようになっている。レギュレーター４４はライト点滅器５０と接続されている。【選択図】図１
2007265643.tif 000002
【特許請求の範囲】
【請求項１】
多数のライトを設けてライトアップを図る装飾ライトに使用される装飾ライトの一体型低電圧パワーサプライであって、この装飾ライトの一体型低電圧パワーサプライのケース本体に設けられてノイズが供給電源に回り込むのを防止するノイズフィルターと、このノイズフィルターと接続されて電源からの電圧を整える第１整流器と、この第１整流器と接続されたスイッチング装置と、このスイッチング装置と接続されて電圧を変換するトランス装置と、このトランス装置と接続されて交流を直流に変える第２整流器と、この第２整流器と接続されて電流をさらに調整するレギュレーターと、このレギュレーターと接続されると共に前記ライトの点滅をコントロールするライト点滅器と、を有してなることを特徴とする装飾ライトの一体型低電圧パワーサプライ。
【請求項２】
多数のＬＥＤライトを設けてライトアップを図る装飾ライトに使用される装飾ライトの一体型低電圧パワーサプライであって、この装飾ライトの一体型低電圧パワーサプライのケース本体に設けられてノイズが供給電源に回り込むのを防止するノイズフィルターと、このノイズフィルターと接続されて電源からの電圧を徐々に整える第１整流器と、この第１整流器と接続されたスイッチング装置と、このスイッチング装置と接続されて電圧を変換するトランス装置と、このトランス装置と接続されて交流を直流に変えると共に電圧を平滑にする第２整流器と、この第２整流器と接続されて電流をさらに調整するレギュレーターと、このレギュレーターと接続されると共に前記ライトの点滅をコントロールするライト点滅器と、を有してなることを特徴とする装飾ライトの一体型低電圧パワーサプライ。
【発明の詳細な説明】
【技術分野】
【０００１】
本発明は、屋外等で使用される装飾ライトに使用される装飾ライトの一体型低電圧パワーサプライに関する。
【背景技術】
【０００２】
屋外の樹木やクリスマスツリー等に豆電球やＬＥＤライト等の小さいライトを多数飾り、これらライトを点滅することによりライトアップを図る装飾ライトが広く知られている。
この装飾ライトにはトランス（又はアダプター）を用いて電圧を下げるタイプの装飾ライトがある（特許文献１）。これは供給電源からの電圧を下げることにより消費電力を下げ、また、漏電等に対して人体に影響を与えず、さらに国によって供給電圧が異なっている事情（例えば日本は供給電圧は１００Ｖ，ヨーロッパは供給電圧は２２０〜２４０Ｖ，香港は供給電圧は２２０Ｖ，米国は供給電圧は１２０Ｖ等）に影響を受けないで豆電球やＬＥＤライト等のライトの規格を統一することが可能になるからである。
しかし、このタイプの装飾ライトにおいては豆電球やＬＥＤライト等のライトの点滅を制御するライト点滅器の他に前記トランス（又はアダプター）が必要になるため、部品点数が増加してしまい、装飾ライトの施工、設置作業が煩雑になると共にトランス（又はアダプター）とライト点滅器の運搬や保管が必要になるという不具合がある。
また、従来から供給電源からの電圧を低電圧にするパワーサプライのみは存在しているが、前記ライト点滅器と一体化したパワーサプライは存在せず、しかも低電圧のパワーサプライは放熱用の孔等を設ける必要があるため、屋外に設置した場合に雨水が浸入してしまうので屋外で使用することができない。
また、前記パワーサプライと前記ライト点滅器を同じケース体に内蔵して一体化することもできるが、これでは前記ライト点滅器で発生したノイズが供給電源に回り込んでしまい電磁波妨害を規制するノイズ規制（ＥＭＩ規制）をパスすることが難しく、しかも電圧変換するトランスが大きいためコンパクトにできない。
【特許文献１】特開平６−２８９１０号公報図３、図４
【発明の開示】
【発明が解決しようとする課題】
【０００３】
本発明は、上記事実に鑑みなされたものであり一体化を可能にして軽量化、コンパクト化を図ると共に装飾ライトの施工を容易にし、さらに密閉することができるため防水効果も図れて屋外でも使用することができる装飾ライトの一体型低電圧パワーサプライを提供するものである。
【課題を解決するための手段】
【０００４】
請求項１の発明は、多数のライトを設けてライトアップを図る装飾ライトに使用される装飾ライトの一体型低電圧パワーサプライであって、この装飾ライトの一体型低電圧パワーサプライのケース本体に設けられてノイズが供給電源に回り込むのを防止するノイズフィルターと、このノイズフィルターと接続されて電源からの電圧を整える第１整流器と、この第１整流器と接続されたスイッチング装置と、このスイッチング装置と接続されて電圧を変換するトランス装置と、このトランス装置と接続されて交流を直流に変える第２整流器と、この第２整流器と接続されて電流をさらに調整するレギュレーターと、このレギュレーターと接続されると共に前記ライトの点滅をコントロールするライト点滅器と、を有してなることを特徴としている。
請求項２の発明は、多数のＬＥＤライトを設けてライトアップを図る装飾ライトに使用される装飾ライトの一体型低電圧パワーサプライであって、この装飾ライトの一体型低電圧パワーサプライのケース本体に設けられてノイズが供給電源に回り込むのを防止するノイズフィルターと、このノイズフィルターと接続されて電源からの電圧を徐々に整える第１整流器と、この第１整流器と接続されたスイッチング装置と、このスイッチング装置と接続されて電圧を変換するトランス装置と、このトランス装置と接続されて交流を直流に変えると共に電圧を平滑にする第２整流器と、この第２整流器と接続されて電流をさらに調整するレギュレーターと、このレギュレーターと接続されると共に前記ライトの点滅をコントロールするライト点滅器と、を有してなることを特徴としている。
【発明の効果】
【０００５】
本発明は、一体化したので軽量化、コンパクト化を図れると共に装飾ライトの施工、設置及び運搬や保管を容易に行うことができるという優れた効果を有する。
また、本発明は、ライト点滅器から発生したノイズが供給電源に回り込むことを防止できるので、電磁波妨害を規制するノイズ規制をパスすることができるという優れた効果を有する。
さらに、本発明は、ケース本体を密閉することができるので防水効果を図れ、これにより雨水等を気にせずに屋外でも使用することができるという優れた効果を有する。
【発明を実施するための最良の形態】
【０００６】
発明を実施するために最良の形態の例として以下のような実施例を示す。
【実施例１】
【０００７】
図１及び図２には本発明に係る装飾ライトの一体型低電圧パワーサプライの一実施例が示されている。
図２には本発明の装飾ライトの一体型低電圧パワーサプライ１０が使用された装飾ライト１２の全体図が示されている。
装飾ライト１２のライト群１３を構成する電線コード１４には多数の枝コード１６が分岐され、枝コード１６の先端部にライトとして消費電力が少なくて壊れ難い発光ダイオード（Ｌｉｇｈｔ  Ｅｍｉｔｔｉｎｇ  Ｄｉｏｄｅ）を光源としたＬＥＤライト１８が取り付けられている。
前記電線コード１４の基端部１４Ａにはコネクタ１９を介して前記装飾ライトの一体型低電圧パワーサプライ１０が取り付けられている。
この装飾ライトの一体型低電圧パワーサプライ１０のケース本体２０は合成樹脂材で箱状に形成されると共に密閉できるようになっている。このケース本体２０の本体２０Ａには蓋体２０Ｂが密閉状態で取り付けられるようになっている。
図１には前記装飾ライトの一体型低電圧パワーサプライ１０のブロック図が示されている。この装飾ライトの一体型低電圧パワーサプライ１０のケース本体２０の左側面２０Ｃには電源に差し込まれるプラグ２１（図２参照）に接続されたＡＣｉｎ（Ｌ）２２とＡＣｉｎ（Ｎ）２４が設けられている。
このＡＣｉｎ（Ｌ）２２はヒューズ２６を介して高性能なノイズフィルター２８と接続されている。また、前記ＡＣｉｎ（Ｎ）２４は直接前記ノイズフィルター２８に接続されている。このノイズフィルター２８は後述するライト点滅器で発生したノイズが供給電源に回り込むのを防止すると共に供給電源からノイズが入り込むことも防止するようになっている。
前記ノイズフィルター２８は第１整流器３０と接続されている。この第１整流器３０は供給電源からの電圧を一気に整流するのではなく、徐々に電圧を整えて整流する整流器である。
前記第１整流器３０はスイッチング装置３２と接続されている。このスイッチング装置３２は制御器３４と発振器３６とから構成されている。前記スイッチング装置３２は電源をオン、オフする機能を有している。
前記スイッチング装置３２はトランス装置４０と接続されている。このトランス装置４０は流れてきた交流の電圧を一定電圧に変換する機能を有している。なお、本発明では消費電力の少ないＬＥＤライト１８を用いることにより前記トランス装置４０が電圧を一定電圧に変換する際に生じる熱を一段と抑えることができるようになっている。
前記トランス装置４０は第２整流器４２と接続されている。この第２整流器４２は流れてきた交流を直流に変えると共に電圧を平滑にする機能を有している。
また、前記第２整流器４２はレギュレーター４４と接続されている。このレギュレーター４４は前記第２整流器４２で整流された電流をさらに調整する機能を有している。前記レギュレーター４４にはコード４６が接続されて２４ボルトの直流電圧が出力されるようになっている。
また、前記レギュレーター４４はライト点滅器５０（８種点滅）と接続されている。このライト点滅器５０は前記ＬＥＤライト１８の点滅を制御するコントローラーである。また、このライト点滅器５０は前記ケース本体２０に取り付けられたスイッチボタン５２と接続され、スイッチボタン５２によって操作されるようになっている。
前記ライト点滅器５０はトランジスター５４を介して第１チャンネル５６、第２チャンネル５８、第３チャンネル６０、第４チャンネル６２と接続されている。
前記第１チャンネル５６、第２チャンネル５８は通常使用する延長可能タイプのライト群１３を使用するときに使用され、前記第３チャンネル６０、第４チャンネル６２は完結タイプのライト群１３を使用するときに使用されるようになっている。
なお、この実施例では第１チャンネル５６、第２チャンネル５８を使用する場合を示し、図２に示されるように、前記コード４６、第１チャンネルコード５６、第２チャンネルコード５８は前記コネクタ１９を介して装飾ライト１２の電線コード１４と接続している。
【０００８】
次に、前記実施例の装飾ライトの一体型低電圧パワーサプライ１０の作用について説明する。
装飾ライトの一体型低電圧パワーサプライ１０はケース本体２０内に電圧を一定に下げると共に交流を直流に変える機能及び前記ＬＥＤライト１８の点滅を制御するライト点滅器５０が内蔵されている。
従って、部品点数の増加を抑えて軽量化、コンパクト化を図ることができるので、装飾ライト装置１２を樹木やクリスマスツリー等に取り付ける場合の取付施工を容易に行うことができると共に装飾ライトの一体型低電圧パワーサプライ１０の運搬や保管を行い易くすることができる。
また、装飾ライトの一体型低電圧パワーサプライ１０にはノイズフィルター２８が設けられているので前記ライト点滅器５０で発生したノイズが供給電源に回りこむのを防止すると共に供給電源からノイズが入り込むことも防止することができる。これにより、電磁波妨害を規制するノイズ規制（ＥＭＩ規制）をパスすることができる。
さらに、前記構成のトランス装置４０を用いると共に消費電力の少ないＬＥＤライト１８を用いることによりトランス装置４０から生じる熱を抑えられるのでケース本体２０を密閉状態にすることができて防水（国際防水保護等級：ＩＰＸ４４の取得が可能）を図ることができる。このため、装飾ライトの一体型低電圧パワーサプライ１０を屋外に置いても雨や雪等がケース本体２０内部に浸入することを阻止できるので、装飾ライトの一体型低電圧パワーサプライ１０を屋外で使用することができる。
【０００９】
なお、実施例ではライトとして消費電力の少ないＬＥＤライト１８を使用した例を示したが、ライトは必ずしもＬＥＤライト１８に限定されるものでないことは勿論である。
【図面の簡単な説明】
【００１０】
【図１】実施例の装飾ライトの一体型低電圧パワーサプライのブロック図である。
【図２】実施例の装飾ライトの一体型低電圧パワーサプライを使用した装飾ライトの概略斜視図である。
【符号の説明】
【００１１】
１０    装飾ライトの一体型低電圧パワーサプライ
１２    装飾ライト
１８    ＬＥＤライト
２０    ケース本体
２６    ヒューズ
２８    ノイズフィルター
３０    第１整流器
３２    スイッチング装置
４０    トランス装置
４２    第２整流器
４４    レギュレーター
５０    ライト点滅器
【図１】
2007265643.tif 000003
【図２】
2007265643.tif 000004